(57)【要約】【課題】本発明は対象者の日常的な活動の中で自然に近い状態でメンタルヘルスを評価できるメンタルヘルス評価装置、該方法および該プログラムを提供する。【解決手段】本発明のメンタルヘルス評価装置ＭＨは、対象者の心拍変動に関わる所定の生体信号を取得し、この所定の生体信号に基づいて、所定の時間間隔でストレス指標を求め、このストレス指標を求める際における前記対象者の行動内容を取得し、そして、メンタルヘルス評価部１２７によって、互いに異なる、少なくとも２以上の複数の時点それぞれにおいて、前記求めた複数のストレス指標と前記取得した複数の行動内容に基づいて、前記対象者のメンタルヘルスを評価する。メンタルヘルス評価部１２７は、前記求めた複数のストレス指標における第１変動パターン、および、前記取得した複数の行動内容における第２変動パターンのうちの少なくとも前記第１変動パターンに基づいて、前記複数の時点を選定する。【選択図】図２
2017213278.tif 000002
【特許請求の範囲】
【請求項１】
対象者から測定された、心拍変動に関わる所定の生体信号を取得する生体信号取得部と、
前記生体信号取得部で取得した前記所定の生体信号に基づいて、所定の時間間隔でストレス指標を求めるストレス指標演算部と、
前記ストレス指標演算部で前記ストレス指標を求める際における前記対象者の行動内容を取得する行動取得部と、
互いに異なる、少なくとも２以上の複数の時点それぞれにおいて、前記ストレス指標演算部で求めた複数のストレス指標と前記行動取得部で取得した複数の行動内容に基づいて、前記対象者のメンタルヘルスを評価するメンタルヘルス評価部とを備え、
前記メンタルヘルス評価部は、前記ストレス指標演算部で求めた複数のストレス指標における第１変動パターン、および、前記行動取得部で取得した複数の行動内容における第２変動パターンのうちの少なくとも前記第１変動パターンに基づいて、前記複数の時点を選定すること
を特徴とするメンタルヘルス評価装置。
【請求項２】
前記メンタルヘルス評価部は、前記複数の時点における未選定の時点の１つを、前記第１変動パターンに基づいて選定すること
を特徴とする請求項１に記載のメンタルヘルス評価装置。
【請求項３】
前記メンタルヘルス評価部は、前記複数の時点における未選定の時点の１つを、前記第２変動パターンに基づいて選定すること
を特徴とする請求項１または請求項２に記載のメンタルヘルス評価装置。
【請求項４】
前記行動内容は、高ストレス行動および低ストレス行動の２種類であること
を特徴とする請求項１ないし請求項３のいずれか１項に記載のメンタルヘルス評価装置。
【請求項５】
前記第１変動パターンは、ストレス指標が第１低ストレスから高ストレスを介して第２低ストレスになるパターンであり、
前記メンタルヘルス評価部は、前記複数の時点の中の第１時点における第１変動パターンの前記高ストレスのストレス指標の値と前記第２低ストレスのストレス指標の値との第１差を求め、前記複数の時点の中の第２時点における第１変動パターンの前記高ストレスのストレス指標の値と前記第２低ストレスのストレス指標の値との第２差を求め、前記第２時点が前記第１時点よりも過去である場合に、前記求めた第１差が前記求めた第２差よりも小さい場合、前記第２時点のメンタルヘルスよりも前記第１時点のメンタルヘルスが悪いと評価すること
を特徴とする請求項１ないし請求項４のいずれか１項に記載のメンタルヘルス評価装置。
【請求項６】
対象者から測定された、心拍変動に関わる所定の生体信号を取得する生体信号取得工程と、
前記生体信号取得工程で取得した前記所定の生体信号に基づいて、所定の時間間隔でストレス指標を求めるストレス指標演算工程と、
前記ストレス指標演算工程で前記ストレス指標を求める際における前記対象者の行動内容を取得する行動取得工程と、
互いに異なる、少なくとも２以上の複数の時点それぞれにおいて、前記ストレス指標演算工程で求めた複数のストレス指標と前記行動取得工程で取得した複数の行動内容に基づいて、前記対象者のメンタルヘルスを評価するメンタルヘルス評価工程とを備え、
前記メンタルヘルス評価工程は、前記ストレス指標演算工程で求めた複数のストレス指標における第１変動パターン、および、前記行動取得工程で取得した複数の行動内容における第２変動パターンのうちの少なくとも前記第１変動パターンに基づいて、前記複数の時点を選定すること
を特徴とするメンタルヘルス評価方法。
【請求項７】
コンピュータに、
対象者から測定された、心拍変動に関わる所定の生体信号を取得する生体信号取得工程と、
前記生体信号取得工程で取得した前記所定の生体信号に基づいて、所定の時間間隔でストレス指標を求めるストレス指標演算工程と、
前記ストレス指標演算工程で前記ストレス指標を求める際における前記対象者の行動内容を取得する行動取得工程と、
互いに異なる、少なくとも２以上の複数の時点それぞれにおいて、前記ストレス指標演算工程で求めた複数のストレス指標と前記行動取得工程で取得した複数の行動内容に基づいて、前記対象者のメンタルヘルスを評価するメンタルヘルス評価工程とを実行させるためのメンタルヘルス評価プログラムであって、
前記メンタルヘルス評価工程は、前記ストレス指標演算工程で求めた複数のストレス指標における第１変動パターン、および、前記行動取得工程で取得した複数の行動内容における第２変動パターンのうちの少なくとも前記第１変動パターンに基づいて、前記複数の時点を選定するメンタルヘルス評価プログラム。
【発明の詳細な説明】
【技術分野】
【０００１】
本発明は、メンタルヘルスを評価するメンタルヘルス評価装置、メンタルヘルス評価方法およびメンタルヘルス評価プログラムに関する。
【背景技術】
【０００２】
現代社会は、ストレス社会と呼ばれるほど、社会生活を営む人々は、様々なストレスにさらされている。このため、ストレスによって心身の健康を損なわないように、精神面では、メンタルヘルス（心の健康、精神的健康、精神衛生）を管理する必要性が叫ばれている。このメンタルヘルスの管理を実施するためには、まず、メンタルヘルスを評価する必要があるが、このような技術の一例が、例えば、特許文献１に開示されている。
【０００３】
この特許文献１に開示された心拍変動指標を用いた精神症状および精神疾患発病リスク評価装置は、周波数分析装置と乱数生成分析装置とから成り、前記周波数分析装置は、心拍計測器と、心拍間間隔測定器と、周波数分析器と、交感神経・副交感神経指標分析器と、精神症状・精神疾患発病リスク計算器とを含んで構成され、前記乱数生成分析装置は、乱数入力部と、乱数スコア計算部と、表示部とを含んで構成され、前記周波数分析装置においては、前記被検者の安静状態時、課題遂行状態時および課題遂行後の安静状態時のそれぞれにおいて測定された被検者の心拍値と心拍間間隔測定値の周波数分析が行われて高周波数指数、低周波数指数およびそれらの比が算出され、前記精神症状・精神病リスク計算器は記憶部と比較部とを備え、前記記憶部には、予め、安静状態時、課題遂行状態時および課題遂行後の安静状態時のそれぞれにおいて測定された健常者の心拍値と心拍間間隔測定値の周波数分析から得られた高周波数指数、低周波数指数およびそれらの比を元に設定された閾値が記憶され、前記比較部においては当該閾値と、前記被検者の高周波数指数、低周波数指数及びそれらの比との比較が行われ、それが前記閾値を越えたか否かにより、所定の精神症状の有無および精神疾患発病リスクの判定が行われる。
【先行技術文献】
【特許文献】
【０００４】
【特許文献１】特開２０１３−２３３２５６号公報
【発明の概要】
【発明が解決しようとする課題】
【０００５】
ところで、前記特許文献１に開示された心拍変動指標を用いた精神症状および精神疾患発病リスク評価装置は、被検者の安静状態時、課題遂行状態時および課題遂行後の安静状態時のそれぞれにおいて測定された各データに基づいて前記被検者における精神症状の有無および精神疾患発病リスクの判定を行っている。このようにストレスを与えるストレス課題を意図的に与えることによって、被検者の安静状態時から課題遂行状態時が作り出されているため、被験者がストレス課題の付与に身構えてしまい、被験者の自然な状態で測定できない。また、このように作り出される意図的な状況に対し、被験者に、いわゆる慣れが生じ、このため、その評価精度が劣化してしまう。
【０００６】
本発明は、上述の事情に鑑みて為された発明であり、その目的は、対象者の日常的な活動の中で自然に近い状態でメンタルヘルスを評価できるメンタルヘルス評価装置、メンタルヘルス評価方法およびメンタルヘルス評価プログラムを提供することである。
【課題を解決するための手段】
【０００７】
本発明者は、種々検討した結果、上記目的は、以下の本発明により達成されることを見出した。すなわち、本発明の一態様にかかるメンタルヘルス評価装置は、対象者から測定された、心拍変動に関わる所定の生体信号を取得する生体信号取得部と、前記生体信号取得部で取得した前記所定の生体信号に基づいて、所定の時間間隔でストレス指標を求めるストレス指標演算部と、前記ストレス指標演算部で前記ストレス指標を求める際における前記対象者の行動内容を取得する行動取得部と、互いに異なる、少なくとも２以上の複数の時点それぞれにおいて、前記ストレス指標演算部で求めた複数のストレス指標と前記行動取得部で取得した複数の行動内容に基づいて、前記対象者のメンタルヘルスを評価するメンタルヘルス評価部とを備え、前記メンタルヘルス評価部は、前記ストレス指標演算部で求めた複数のストレス指標における第１変動パターン、および、前記行動取得部で取得した複数の行動内容における第２変動パターンのうちの少なくとも前記第１変動パターンに基づいて、前記複数の時点を選定することを特徴とする。好ましくは、上述のメンタルヘルス評価装置において、前記行動取得部は、サーバ装置で管理されている前記対象者の行動スケジュール、前記対象者の持つＧＰＳから取得される位置、および、前記対象者の運動状態を測定する運動状態測定装置で測定された前記対象者の運動状態、のうちの少なくとも１つを用いて前記対象者の行動内容を求めて取得する。好ましくは、上述のメンタルヘルス評価装置において、前記行動取得部は、前記対象者の行動スケジュールを管理するサーバ装置から、前記対象者の行動内容を取得する。好ましくは、上述のメンタルヘルス評価装置において、前記対象者の行動スケジュールを記憶するスケジュール記憶部をさらに備え、前記行動取得部は、前記スケジュール記憶部から、前記対象者の行動内容を取得する。好ましくは、上述のメンタルヘルス評価装置において、位置情報と行動内容とを互いに対応付けて記憶する位置行動変換情報記憶部をさらに備え、前記行動取得部は、前記対象者の持つＧＰＳから位置情報を取得し、この取得した位置情報に対応する行動内容を前記位置行動変換情報記憶部から取得する。好ましくは、上述のメンタルヘルス評価装置において、前記行動取得部は、前記対象者の運動状態を測定する運動状態測定装置から前記運動状態を取得し、この取得した運動状態に基づいて前記対象者の行動内容を求めて取得する。
【０００８】
このようなメンタルヘルス評価装置は、ストレス課題として対象者の行動内容を用い、少なくとも２以上の複数の時点それぞれにおける複数のストレス指標および複数の行動内容に基づいて対象者のメンタルヘルスを評価するので、対象者の自然な状態でメンタルヘルスを評価できる。そして、特に、上記メンタルヘルス評価装置が、前記複数の時点を、複数のストレス指標における第１変動パターン、および、複数の行動内容における第２変動パターンに基づいて、選定する場合、上記メンタルヘルス評価装置は、前記対象者の日常生活の中で自然に起こるストレス指標の第１変動パターンのうち、メンタルヘルスの判断に適した行動内容の第２変動パターンを自動的に検知でき、この検知した第２変動パターンでのストレス指数の変位（差分）を比較することでメンタルヘルス状態を評価するので、前記対象者の身構えや慣れが生じ得ず、その精度を向上できる。また、上記メンタルヘルス評価装置は、対象者ごとに、メンタルヘルスの評価における比較対象の変動パターンを変えることができるので、個人差にも対応できる。
【０００９】
また、他の一態様では、上述のメンタルヘルス評価装置において、前記メンタルヘルス評価部は、前記複数の時点における未選定の時点の１つを、前記第１変動パターンに基づいて選定することを特徴とする。
【００１０】
このようなメンタルヘルス評価装置は、例えば低ストレスから高ストレスを介して低ストレスに至る場合等の、所定の第１変動パターンでのメンタルヘルスを評価できる。
【００１１】
また、他の一態様では、これら上述のメンタルヘルス評価装置において、前記メンタルヘルス評価部は、前記複数の時点における未選定の時点の１つを、前記第２変動パターンに基づいて選定することを特徴とする。好ましくは、上述のメンタルヘルス評価装置において、前記複数の時点の中の第１時点を前記第１変動パターンに基づいて選定し、前記複数の時点の中の、前記第１時点と異なる第２時点を前記第２変動パターンに基づいて選定する。
【００１２】
このようなメンタルヘルス評価装置は、異なる時点における同一第２変動パターンでのメンタルヘルスを評価できる。
【００１３】
また、他の一態様では、これら上述のメンタルヘルス評価装置において、前記行動内容は、高ストレス行動および低ストレス行動の２種類であることを特徴とする。
【００１４】
このようなメンタルヘルス評価装置は、行動内容が高ストレス行動および低ストレス行動の２種類であるので、第１変動パターンだけでなく、第２変動パターンでもストレスの変動で選定できる。特に、同じ行動内容でも、或る人には高ストレスである一方、他の或る人には低ストレスであるというように、個々人によってストレスのかかり方が異なる。また、同じ行動内容であって同一人であっても、経験回数によって高ストレスから低ストレスに変わる場合もある。したがって、個人ごとにストレスのかかり方に応じて行動内容に高ストレス行動および低ストレス行動のうちのいずれか一方を割り付けることで、このようなメンタルヘルス評価装置は、より個人に適した第２変動パターンをメンタルヘルスの評価に適用でき、その精度を向上できる。
【００１５】
また、他の一態様では、これら上述のメンタルヘルス評価装置において、前記第１変動パターンは、ストレス指標が第１低ストレスから高ストレスを介して第２低ストレスになるパターンであり、前記メンタルヘルス評価部は、前記複数の時点の中の第１時点における第１変動パターンの前記高ストレスのストレス指標の値と前記第２低ストレスのストレス指標の値との第１差を求め、前記複数の時点の中の第２時点における第１変動パターンの前記高ストレスのストレス指標の値と前記第２低ストレスのストレス指標の値との第２差を求め、前記第２時点が前記第１時点よりも過去である場合に、前記求めた第１差が前記求めた第２差よりも小さい場合、前記第２時点のメンタルヘルスよりも前記第１時点のメンタルヘルスが悪いと評価することを特徴とする。
【００１６】
これは、メンタルヘルスの評価の仕方の一具体例である。
【００１７】
また、本発明の他の一態様にかかるメンタルヘルス評価方法は、対象者から測定された、心拍変動に関わる所定の生体信号を取得する生体信号取得工程と、前記生体信号取得工程で取得した前記所定の生体信号に基づいて、所定の時間間隔でストレス指標を求めるストレス指標演算工程と、前記ストレス指標演算工程で前記ストレス指標を求める際における前記対象者の行動内容を取得する行動取得工程と、互いに異なる、少なくとも２以上の複数の時点それぞれにおいて、前記ストレス指標演算工程で求めた複数のストレス指標と前記行動取得工程で取得した複数の行動内容に基づいて、前記対象者のメンタルヘルスを評価するメンタルヘルス評価工程とを備え、前記メンタルヘルス評価工程は、前記ストレス指標演算工程で求めた複数のストレス指標における第１変動パターン、および、前記行動取得工程で取得した複数の行動内容における第２変動パターンのうちの少なくとも前記第１変動パターンに基づいて、前記複数の時点を選定することを特徴とする。
【００１８】
そして、本発明の他の一態様にかかるメンタルヘルス評価プログラムは、コンピュータに、対象者から測定された、心拍変動に関わる所定の生体信号を取得する生体信号取得工程と、前記生体信号取得工程で取得した前記所定の生体信号に基づいて、所定の時間間隔でストレス指標を求めるストレス指標演算工程と、前記ストレス指標演算工程で前記ストレス指標を求める際における前記対象者の行動内容を取得する行動取得工程と、互いに異なる、少なくとも２以上の複数の時点それぞれにおいて、前記ストレス指標演算工程で求めた複数のストレス指標と前記行動取得工程で取得した複数の行動内容に基づいて、前記対象者のメンタルヘルスを評価するメンタルヘルス評価工程とを実行させるためのメンタルヘルス評価プログラムであって、前記メンタルヘルス評価工程は、前記ストレス指標演算工程で求めた複数のストレス指標における第１変動パターン、および、前記行動取得工程で取得した複数の行動内容における第２変動パターンのうちの少なくとも前記第１変動パターンに基づいて、前記複数の時点を選定する。
【００１９】
このようなメンタルヘルス評価方法およびメンタルヘルス評価プログラムは、ストレス課題として対象者の行動内容を用い、少なくとも２以上の複数の時点それぞれにおける複数のストレス指標および複数の行動内容に基づいて対象者のメンタルヘルスを評価するので、対象者の自然な状態でメンタルヘルスを評価できる。そして、特に、上記メンタルヘルス評価方法およびメンタルヘルス評価プログラムが、前記複数の時点を、複数のストレス指標における第１変動パターン、および、複数の行動内容における第２変動パターンに基づいて、選定する場合、上記メンタルヘルス評価方法およびメンタルヘルス評価プログラムは、前記対象者の日常生活の中で自然に起こるストレス指標の第１変動パターンのうち、メンタルヘルスの判断に適した行動内容の第２変動パターンを自動的に検知でき、この検知した第２変動パターンでのストレス指数の変位（差分）を比較することでメンタルヘルス状態を評価するので、前記対象者の身構えや慣れが生じ得ず、その精度を向上できる。また、上記メンタルヘルス評価方法およびメンタルヘルス評価プログラムは、対象者ごとに、メンタルヘルスの評価における比較対象の変動パターンを変えることができるので、個人差にも対応できる。
【発明の効果】
【００２０】
本発明にかかるメンタルヘルス評価装置、メンタルへルス評価方法およびメンタルヘルス評価プログラムは、対象者の日常的な活動の中で自然に近い状態でメンタルヘルスを評価できる。
【図面の簡単な説明】
【００２１】
【図１】実施形態におけるメンタルヘルス評価システムの構成を示す図である。
【図２】前記メンタルヘルス評価システムに用いられるメンタルヘルス評価装置の構成を示す図である。
【図３】前記メンタルヘルス評価装置に記憶されるストレス指標ログ情報テーブルの構成を示す図である。
【図４】前記メンタルヘルス評価システムに用いられる測定端末装置の構成を示す図である。
【図５】前記メンタルヘルス評価装置における、ストレス指標の記録動作を示すフローチャートである。
【図６】前記メンタルヘルス評価装置における、メンタルヘルスの評価動作を示すフローチャートである。
【図７】前記メンタルヘルス評価装置における第１時点の抽出処理を説明するための図である。
【図８】前記メンタルヘルス評価装置におけるストレス指標の変位（差分）の演算手法を説明するための図である。
【図９】一例として、ストレス指標の変位（差分）を示す図である。
【図１０】前記メンタルヘルス評価装置における第２ないし第４時点の抽出処理を説明するための図である。
【図１１】加速度センサを用いた行動内容の取得処理を説明するための図である。
【図１２】第１変動パターンのみによる各時点の抽出処理を説明するための図である。
【発明を実施するための形態】
【００２２】
以下、本発明にかかる実施の一形態を図面に基づいて説明する。なお、各図において同一の符号を付した構成は、同一の構成であることを示し、適宜、その説明を省略する。なお、本明細書において、総称する場合には添え字を省略した参照符号で示し、個別の構成を指す場合には添え字を付した参照符号で示す。
【００２３】
図１は、実施形態におけるメンタルヘルス評価システムの構成を示す図である。図２は、前記メンタルヘルス評価システムに用いられるメンタルヘルス評価装置の構成を示す図である。図３は、前記メンタルヘルス評価装置に記憶されるストレス指標ログ情報テーブルの構成を示す図である。図４は、前記メンタルヘルス評価システムに用いられる測定端末装置の構成を示す図である。
【００２４】
実施形態におけるメンタルヘルス評価システムＭＳは、対象者のメンタルヘルスを評価するシステムである。本実施形態では、メンタルヘルスは、公知のストレス指標によって評価される（「ストレスと自律神経の科学」、［ｏｎｌｉｎｅ］、[２０１６年４月１９日検索]、インターネット（ＵＲＬ：ｈｔｔｐ／／ｈｃｌａｂ．ｓａｋｕｒａ．ｎｅ．ｊｐ／ｓｔｒｅｓｓ＿ｎｏｖｉｃｅ＿ＬＦＨＦ．ｈｔｍｌ））。ストレスの定義は、交感神経と副交感神経との緊張の程度、バランスであり、交感神経が緊張状態にあれば「ストレス状態」、逆に、副交感神経が緊張状態にあれば「リラックス状態」となる。前記ストレス指標は、交感神経と副交感神経とにおける緊張状態のバランスによって心拍変動へのＬＦ（低周波）の変動波とＨＦ（高周波）の変動波との現れる大きさが変わるため、これを利用して心拍変動から自律神経のバランスを推定してストレスを評価し、その指標値を求めるものである。より具体的には、心拍変動の時系列データのパワースペクトルが求められ、ＬＦは、前記パワースペクトルのＬＦ成分領域（０．０５Ｈｚ〜０．１５Ｈｚ）の強度を合算（積分）することによって求められ、副交感神経の緊張度合いを表すＨＦは、前記パワースペクトルのＨＦ成分領域（０．１５Ｈｚ〜０．４０Ｈｚ）の強度を合算（積分）することによって求められる。
【００２５】
このようなストレス指標を用いて対象者のメンタルヘルスを評価するメンタルヘルス評価システムＭＳは、例えば、図１に示すように、測定端末装置ＳＴと、スケジュール管理サーバ装置ＳＳと、メンタルヘルス評価装置ＭＨと、表示端末装置ＤＴとを備え、これら測定端末装置ＳＴ、スケジュール管理サーバ装置ＳＳ、メンタルヘルス評価装置ＭＨおよび表示端末装置ＤＴは、ネットワークＮＷを介して互いに通信可能に接続される。
【００２６】
ネットワークＮＷは、例えば公衆回線網であって良く、また例えばＬＡＮ（Ｌｏｃａｌ  Ａｒｅａ  Ｎｅｔｗｏｒｋ）であって良い。ネットワークＮＷは、例えば有線であって良く、また例えば無線であって良く、また例えば有線および無線の混在したものであって良い。ネットワークＮＷは、通信信号を中継する例えばリピーター、ブリッジおよびルーター等の中継機が備えられて良い。一例では、ネットワークＮＷは、公衆データ通信網であり、また他の一例では、ネットワークＮＷは、ＩＥＥＥ８０２．１１規格に従ったＬＡＮである。
【００２７】
測定端末装置ＳＴは、メンタルヘルスの評価対象である対象者に対応付けて設けられ、メンタルヘルス評価装置ＭＨでストレス指標を求めるために前記対象者における心拍変動に関わる所定の生体信号を測定し、この測定した前記対象者の生体信号を、ネットワークＮＷを介してメンタルヘルス評価装置ＭＨへ送信する装置である。なお、複数の対象者における各メンタルヘルスをそれぞれ評価する場合には、複数の測定端末装置ＳＴが用意され、複数の測定端末装置ＳＴそれぞれは、複数の対象者それぞれに対応付けて設けられる。このような測定端末装置ＳＴは、例えば、図４に示すように、生体信号測定部２１と、測定端末装置側制御処理部（ＳＴ制御処理部）２２と、測定端末装置側記憶部（ＳＴ記憶部）２３と、測定端末装置側通信インターフェース部（ＳＴ通信ＩＦ部）２４とを備える。
【００２８】
生体信号測定部２１は、ＳＴ制御処理部２２に接続され、ＳＴ制御処理部２２の制御に従って、対象者における心拍変動に関わる所定の生体信号を測定し、この測定した生体信号をＳＴ制御処理部２２へ出力する回路である。前記所定の生体信号は、心拍変動の成分を含む信号であれば任意で良く、例えば、心電図であり、生体信号測定部２１は、心電計を備えて構成される。また例えば、前記所定の生体信号は、脈波であり、生体信号測定部２１は、例えば光電脈波計である。この光電脈波計は、身体における所定の部位（例えば手指や額等）に対し、光を照射し、前記所定の部位を反射または透過した光（作用光）を受光することよって、拍動に伴う血管の容積変化を前記作用光の強弱変化で測定する。また例えば、生体信号測定部２１は、例えば圧力式脈波計である。この圧力式脈波計は、身体における所定の部位（例えば手首や頸等）に対し感圧素子を装着することよって、拍動に伴う血管の圧変化を測定する。生体信号測定部２１とＳＴ制御処理部２２とは、有線接続であって良く、また無線接続であって良い。
【００２９】
ＳＴ通信ＩＦ部２４は、ＳＴ制御処理部２２に接続され、ＳＴ制御処理部２２の制御に従って通信を行うための通信回路である。ＳＴ通信ＩＦ部２４は、ＳＴ制御処理部２２から入力された転送すべきデータを収容した通信信号を、このメンタルヘルス評価システムＭＳのネットワークＮＷで用いられる通信プロトコルに従って生成し、この生成した通信信号をネットワークＮＷを介してメンタルヘルス評価装置ＭＨへ送信する。ＳＴ通信ＩＦ部２４は、ネットワークＮＷを介してメンタルヘルス評価装置ＭＨから通信信号を受信し、この受信した通信信号からデータを取り出し、この取り出したデータをＳＴ制御処理部２４が処理可能な形式のデータに変換してＳＴ制御処理部２４へ出力する。ＳＴ通信ＩＦ部２４は、一例では、データ通信を行うデータ通信カード等を備えて構成され、また他の一例では、ＩＥＥＥ８０２．１１規格等に従った通信インターフェース回路を備えて構成される。
【００３０】
ＳＴ記憶部２３は、ＳＴ制御処理部２２に接続され、ＳＴ制御処理部２２の制御に従って、各種の所定のプログラムおよび各種の所定のデータを記憶する回路である。前記各種の所定のプログラムには、例えば、測定端末装置ＳＴの各部を当該各部の機能に応じてそれぞれ制御する制御プログラムや、生体信号測定部２１で前記対象者の生体信号を測定し、この測定した所定時間長の時系列な生体信号をネットワークＮＷを介してメンタルヘルス評価装置ＭＨへ送信する測定送信プログラム等の制御処理プログラムが含まれる。前記各種の所定のデータには、例えば生体信号測定部２１で測定した所定時間長の時系列な生体信号やメンタルヘルス評価装置ＭＨの通信アドレス等の、各プログラムを実行する上で必要なデータ等が含まれる。ＳＴ記憶部２３は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＴ記憶部２３は、前記所定のプログラムの実行中に生じるデータ等を記憶するいわゆるＳＴ制御処理部２２のワーキングメモリとなるＲＡＭ（Ｒａｎｄｏｍ  Ａｃｃｅｓｓ  Ｍｅｍｏｒｙ）等を含む。
【００３１】
ＳＴ制御処理部２２は、測定端末装置ＳＴの各部を当該各部の機能に応じてそれぞれ制御し、前記対象者の生体信号を生体信号測定部２１で測定し、この測定した前記対象者の生体信号を、ネットワークＮＷを介してメンタルヘルス評価装置ＭＨへ送信する回路である。ＳＴ制御処理部２２は、例えば、ＣＰＵ（Ｃｅｎｔｒａｌ  Ｐｒｏｃｅｓｓｉｎｇ  Ｕｎｉｔ）およびその周辺回路を備えて構成される。
【００３２】
このような測定端末装置ＳＴは、例えば光電脈波計、および、前記光電脈波計と有線または無線（例えばＢｌｕｅｔｏｏｔｈ（登録商標）規格等の近距離無線通信）で接続された例えばスマートフォンやタブレット型コンピュータ等の携帯端末機によって構成可能である。
【００３３】
スケジュール管理サーバ装置ＳＳは、対象者のスケジュールを例えば測定端末装置ＳＴからネットワークＮＷを介して受け付け、この受け付けた対象者のスケジュールを記憶して管理し、ネットワークＮＷを介して、例えば測定端末装置ＳＴやメンタルヘルス評価装置ＭＨ等のクライアント装置から要求を受け付けて対象者のスケジュールを提供（返信）するサーバ装置である。スケジュールは、行動内容とその開始時刻および終了時刻とを互いに対応付けた情報であり、対象者（例えば対象者を特定し識別するための識別子（対象者ＩＤ）または前記対象者の生体信号を測定する測定端末装置ＳＴを特定し識別するための識別子（測定端末ＩＤ））に対応付けて記憶される。このようなスケジュール管理サーバ装置ＳＳは、例えば、通信機能付きのコンピュータによって構成可能である。前記行動内容は、例えば行動の種類名によって表され、日常生活や社会生活等における任意の行動であって良く、例えば、食事、通勤、通学、勤務、学習、会議、出張、面会、休憩および睡眠等である。
【００３４】
表示端末装置ＤＴは、ユーザによる所定の指示を受け付けてネットワークＮＷを介して他の装置へ送信し、前記他の装置からその結果を、ネットワークＮＷを介して受信して表示する装置である。例えば、表示端末装置ＤＴは、ユーザによるメンタルヘルスの評価を開始する指示を前記評価の対象である対象者と共に受け付けてネットワークＮＷを介してメンタルヘルス評価装置ＭＨへ送信し、メンタルヘルス評価装置ＭＨからメンタルヘルスの評価結果を、ネットワークＮＷを介して受信して表示する。このような表示端末装置ＤＴは、例えばスマートフォンやタブレット型コンピュータ等の携帯端末機によって構成可能である。
【００３５】
メンタルヘルス評価装置ＭＨは、対象者のメンタルヘルスを評価する装置である。より具体的には、メンタルヘルス評価装置ＭＨは、測定端末装置ＳＴからネットワークＮＷを介して前記対象者の生体信号を取得し、この取得した生体信号に基づいて、所定の時間間隔でストレス指標を求め、この際にスケジュール管理サーバ装置ＳＳからネットワークＮＷを介して前記対象者の行動内容を取得し、これら前記対象者におけるストレス指標および行動内容を互いに対応付けて記憶し、表示端末装置ＤＴからネットワークＮＷを介して対象者のメンタルヘルスの評価指示を受け付けると、互いに異なる、少なくとも２以上の複数の時点それぞれにおいて、前記記憶した前記対象者におけるストレス指標および行動内容に基づいて、前記対象者のメンタルヘルスを評価する。そして、前記複数の時点は、前記対象者について求められた複数のストレス指標における第１変動パターン、および、前記対象者について取得された複数の行動内容における第２変動パターンのうちの少なくとも前記第１変動パターンに基づいて、選定される。このようなメンタルヘルス評価装置ＭＨは、例えば、図２に示すように、メンタルヘルス評価装置側通信インターフェース部（ＭＨ通信ＩＦ部）１１と、メンタルヘルス評価装置側制御処理部（ＭＨ制御処理部）１２と、メンタルヘルス評価装置側記憶部（ＭＨ記憶部部）１３とを備える。
【００３６】
ＭＨ通信ＩＦ部１１は、ＳＴ通信ＩＦ部２４と同様に、ＭＨ制御処理部１２に接続され、ＭＨ制御処理部１２の制御に従って通信を行うための通信回路である。ＭＨ通信ＩＦ部１１は、一例では、データ通信を行うデータ通信カード等を備えて構成され、また他の一例では、ＩＥＥＥ８０２．１１規格等に従った通信インターフェース回路を備えて構成される。
【００３７】
ＭＨ記憶部１３は、ＭＨ制御処理部１２に接続され、ＭＨ制御処理部１２の制御に従って、各種の所定のプログラムおよび各種の所定のデータを記憶する回路である。前記各種の所定のプログラムには、例えば、メンタルヘルス評価装置ＭＨの各部を当該各部の機能に応じてそれぞれ制御するＭＨ制御プログラムや、測定端末装置ＳＴからネットワークＮＷを介して、対象者から測定された、心拍変動に関わる所定の生体信号を取得する生体信号取得処理プログラムや、前記生体信号取得処理プログラムで取得した前記所定の生体信号に基づいて、所定の時間間隔でストレス指標を求めるストレス指標演算プログラムや、前記ストレス指標演算プログラムで前記ストレス指標を求める際における前記対象者の行動内容を、スケジュール管理サーバ装置ＳＳからネットワークＮＷを介して取得する行動取得処理プログラムや、年月日時分を計時する計時プログラムや、前記ストレス指標演算プログラムで求めた対象者のストレス指標、前記行動取得処理プログラムで取得した前記対象者の行動内容および前記時計プログラムから取得した年月日時分を互いに対応付けてストレス指標ログ情報としてＭＨ記憶部１３における後述のストレス指標ログ情報記憶部１３１に記憶する記録処理プログラムや、互いに異なる、少なくとも２以上の複数の時点それぞれにおいて、前記ストレス指標演算プログラムで求めた複数のストレス指標と前記行動取得処理プログラムで取得した複数の行動内容に基づいて、前記対象者のメンタルヘルスを評価するメンタルヘルス評価プログラム等の制御処理プログラムが含まれる。前記メンタルヘルス評価プログラムには、前記ストレス指標演算プログラムで求めた複数のストレス指標における第１変動パターン、および、前記行動取得処理プログラムで取得した複数の行動内容における第２変動パターンのうちの少なくとも前記第１変動パターンに基づいて、互いに異なる、少なくとも２以上の複数の時点を選定して抽出する抽出処理プログラムや、前記抽出処理プログラムで選定して抽出した前記複数の時点それぞれにおいて、複数のストレス指標および複数の行動内容に基づいて前記対象者のメンタルヘルスを評価する評価プログラムや、前記評価プログラムで求めた評価結果を前記表示端末装置ＤＴへネットワークＮＷを介して出力（返信）する出力処理プログラム等が含まれる。前記各種の所定のデータには、例えば対象者ＩＤと測定端末ＩＤとの対応関係を表す測定端末情報、対象者の性別年齢等の対象者情報、測定端末装置ＳＴおよびスケジュール管理サーバ装置ＳＳの各通信アドレス、および、ストレス指標ログ情報等の、各プログラムを実行する上で必要なデータ等が含まれる。ＭＨ記憶部１３は、例えば不揮発性の記憶素子であるＲＯＭや書き換え可能な不揮発性の記憶素子であるＥＥＰＲＯＭ等を備える。そして、ＭＨ記憶部１３は、前記所定のプログラムの実行中に生じるデータ等を記憶するいわゆるＭＨ制御処理部１２のワーキングメモリとなるＲＡＭ等を含む。ＭＨ記憶部１３は、比較的大容量のデータを記憶できるハードディスク装置を備えて良い。
【００３８】
そして、ＭＨ記憶部１３は、前記ストレス指標ログ情報を記憶するために、機能的に、ストレス指標ログ情報記憶部１３１を備える。このストレス指標ログ情報は、本実施形態では、テーブル形式でストレス指標ログ情報記憶部１３１に記憶されている。このストレス指標ログ情報を登録するストレス指標ログ情報テーブルＳＡＴは、例えば、図３に示すように、年月日時分を登録する時刻フィールド１３１１と、行動内容を登録する行動フィールド１３１２と、第１ストレス指標の指標値を登録する第１ストレス指標フィールド１３１３と、第２ストレス指標の指標値を登録する第２ストレス指標フィールド１３１４とを備え、ストレス指標の演算ごとにレコードを持つ。ストレス指標は、本実施形態では、２個の第１および第２ストレス指標を含み、第１ストレス指標は、前記ストレス指標の１つとして演算されるＬＦ／ＨＦ（周波数成分比、交感神経）であり、第２ストレス指標は、前記ストレス指標の他の１つとして演算されるＨＦ（高周波成分、副交感神経）である。このようなストレス指標ログ情報テーブルＳＡＴは、対象者に対応付けられて各対象者ごとに設けられ、ストレス指標ログ情報記憶部１３１に記憶される。
【００３９】
ＭＨ制御処理部１２は、メンタルヘルス評価装置ＭＨの各部を当該各部の機能に応じてそれぞれ制御し、測定端末装置ＳＴからネットワークＮＷを介して対象者の生体信号を取得し、この取得した生体信号に基づいて、所定の時間間隔でストレス指標を求め、この際にスケジュール管理サーバ装置ＳＳからネットワークＮＷを介して前記対象者の行動内容を取得し、これら前記対象者におけるストレス指標および行動内容を互いに対応付けて記憶し、表示端末装置ＤＴからネットワークＮＷを介して対象者のメンタルヘルスの評価指示を受け付けると、互いに異なる、少なくとも２以上の複数の時点それぞれにおいて、前記記憶した前記対象者におけるストレス指標および行動内容に基づいて、前記対象者のメンタルヘルスを評価するものである。ＭＨ制御処理部１２は、例えば、ＣＰＵおよびその周辺回路を備えて構成される。ＭＨ制御処理部１２は、前記制御処理プログラムが実行されることによって、メンタルヘルス評価装置側制御部（ＭＨ制御部）１２１、生体信号取得処理部１２２、ストレス指標演算部１２３、行動取得処理部１２４、時計部１２５、記録処理部１２６およびメンタルへルス評価部１２７を機能的に備え、メンタルヘルス評価部１２７は、抽出処理部１２７１、評価部１２７２および出力処理部１２７３を機能的に備える。
【００４０】
ＭＨ制御部１２１は、メンタルヘルス評価装置ＭＨの各部を当該各部の機能に応じてそれぞれ制御し、メンタルヘルス評価装置ＭＨの全体制御を司るものである。
【００４１】
生体信号取得処理部１２２は、測定端末装置ＳＴからネットワークＮＷを介して、対象者から測定された、心拍変動に関わる所定の生体信号を取得するものである。
【００４２】
ストレス指標演算部１２３や、生体信号取得処理部１２２で取得した前記所定の生体信号に基づいて、所定の時間間隔でストレス指標を求めるものである。前記所定の時間間隔は、任意であり、例えば、評価したいメンタルヘルスの時間分解能に応じて適宜に設定され、例えば、３分、５分、１０分、２０分、３０分、６０分等である。本実施形態では、前記ストレス指標として、第１ストレス指標（ＬＦ／ＨＦ）および第２ストレス指標（ＨＦ）を求める。
【００４３】
行動取得処理部１２４は、ストレス指標演算部１２３で前記ストレス指標を求める際における前記対象者の行動内容を、スケジュール管理サーバ装置ＳＳからネットワークＮＷを介して取得するものである。
【００４４】
時計部１２５は、年月日時分を計時するものである。
【００４５】
記録処理部１２６は、ストレス指標演算部１２３で求めた対象者のストレス指標、行動取得処理部１２４で取得した前記対象者の行動内容および時計部１２５から取得した年月日時分を互いに対応付けてストレス指標ログ情報としてストレス指標ログ情報記憶部１３１に記憶するものである。より具体的には、記録処理部１２６は、ストレス指標ログ情報テーブルＳＡＴに新たなレコードを作成し、この新たに作成したレコードにおける時刻フィールド１３１１、行動フィールド１３１２、第１ストレス指標フィールド１３１３および第２ストレス指標フィールド１３１４それぞれに、上述の、時計部１２５から取得した年月日時分、行動取得処理部１２４で取得した前記対象者の行動内容、ならびに、ストレス指標演算部１２３で求めた第１ストレス指標および第２ストレス指標それぞれを登録する。
【００４６】
メンタルヘルス評価部１２７は、互いに異なる、少なくとも２以上の複数の時点それぞれにおいて、ストレス指標演算部１２３で求めた複数のストレス指標と行動取得処理部１２４で取得した複数の行動内容に基づいて、前記対象者のメンタルヘルスを評価するものである。このような処理は、抽出処理部１２７１、評価部１２７２および出力処理部１２７３によって実行される。
【００４７】
抽出処理部１２７１は、ストレス指標演算部１２３で求めた複数のストレス指標における第１変動パターン、および、行動取得処理部１２４で取得した複数の行動内容における第２変動パターンのうちの少なくとも前記第１変動パターンに基づいて、互いに異なる、少なくとも２以上の複数の時点を選定して抽出する。より詳しくは、メンタルヘルス評価部１２７の抽出処理部１２７１は、前記複数の時点における未選定の時点の１つを、前記第１変動パターンに基づいて選定する。メンタルヘルス評価部１２７の抽出処理部１２７１は、前記複数の時点における未選定の時点の１つを、前記第２変動パターンに基づいて選定する。好ましくは、メンタルヘルス評価部１２７の抽出処理部１２７１は、前記複数の時点の中の第１時点を前記第１変動パターンに基づいて選定し、前記複数の時点の中の、前記第１時点と異なる第２時点を前記第２変動パターンに基づいて選定する。
【００４８】
評価部１２７２は、抽出処理部１２７１で選定して抽出した前記複数の時点それぞれにおいて、複数のストレス指標および複数の行動内容に基づいて前記対象者のメンタルヘルスを評価する。より詳しくは、前記第１変動パターンは、ストレス指標が第１低ストレスから高ストレスを介して第２低ストレスになるパターンであり、メンタルヘルス評価部１２７の評価部１２７２は、前記複数の時点の中の第１時点における第１変動パターンの前記高ストレスのストレス指標の値と前記第２低ストレスのストレス指標の値との第１差を求め、前記複数の時点の中の第２時点における第１変動パターンの前記高ストレスのストレス指標の値と前記第２低ストレスのストレス指標の値との第２差を求め、時間的に前記第２時点が前記第１時点よりも過去である場合に、前記求めた第１差が前記求めた第２差よりも小さい場合、前記第２時点のメンタルヘルスよりも前記第１時点のメンタルヘルスが悪いと評価する。
【００４９】
出力処理部１２７３は、評価部１２７２で求めた評価結果を表示端末装置ＤＴへネットワークＮＷを介して出力（返信）する。
【００５０】
ここで、このような構成のメンタルへルス評価装置ＭＨでは、ＭＨ通信ＩＦ部１１およびＭＨ制御処理部１２の生体信号取得処理部１２２は、対象者から測定された、心拍変動に関わる所定の生体信号を取得する生体信号取得部の一例に相当し、ＭＨ通信ＩＦ部１１およびＭＨ制御処理部１２の行動取得処理部１２４は、ストレス指標演算部１２３で前記ストレス指標を求める際における前記対象者の行動内容を取得する行動取得部の一例に相当する。
【００５１】
なお、メンタルヘルス評価装置ＭＨは、図２に破線で示すように、必要に応じて、さらに、ＭＨ制御処理部１２に接続され例えば各種コマンドや各種データ等を入力するメンタルヘルス評価装置側入力部（ＭＨ入力部）１４、ＭＨ入力部１４で入力された各種コマンドや各種データ等を出力するメンタルヘルス評価装置側出力部（ＭＨ出力部）１５、および、外部機器との間でデータの入出力を行うメンタルヘルス評価装置側インターフェース部（ＭＨＩＦ部）１６等を備えても良い。
【００５２】
このようなメンタルヘルス評価装置ＭＨは、例えば、通信機能付きのコンピュータによって構成可能である。
【００５３】
次に、本実施形態の動作について説明する。図５は、前記メンタルヘルス評価装置における、ストレス指標の記録動作を示すフローチャートである。図６は、前記メンタルヘルス評価装置における、メンタルヘルスの評価動作を示すフローチャートである。図７は、前記メンタルヘルス評価装置における第１時点の抽出処理を説明するための図である。図８は、前記メンタルヘルス評価装置におけるストレス指標の変位（差分）の演算手法を説明するための図である。図９は、一例として、ストレス指標の変位（差分）を示す図である。図１０は、前記メンタルヘルス評価装置における第２ないし第４時点の抽出処理を説明するための図である。以下では、まず、ストレス指標の記録動作について説明し、次に、メンタルヘルスの評価動作について説明する。なお、スケジュール管理サーバ装置ＳＳには、対象者のスケジュールが記憶されているものとする。
【００５４】
上記構成のメンタルヘルス評価システムＭＳでは、各装置ＳＴ、ＳＳ、ＤＴ、ＭＨは、電源が投入されると、必要な各部の初期化を実行し、その稼働を始める。メンタルヘルス評価装置ＭＨでは、その制御処理プログラムの実行によって、ＭＨ制御処理部１２には、ＭＨ制御部１２１、生体信号取得処理部１２２、ストレス指標演算部１２３、行動取得処理部１２４、時計部１２５、記録処理部１２６およびメンタルヘルス評価部１２７が機能的に構成され、メンタルヘルス評価部１２７には、抽出処理部１２７１、評価部１２７２および出力処理部１２７３が機能的に構成される。
【００５５】
その稼働を始めると、測定端末装置ＳＴは、所定のサンプリング間隔で生体信号を生体信号測定部２１によって測定し、所定時間（例えば１個の通信信号に収容可能な生体信号のデータ容量分を測定する時間）だけ測定すると、測定端末ＩＤ（または対象者ＩＤ）および前記測定した生体信号を収容した通信信号（生体信号通知通信信号）を生成し、この生成した生体信号通知通信信号をメンタルヘルス評価装置ＭＨへ送信する。測定端末装置ＳＴは、電源のオフ等の、その稼働を停止する時まで、このような生体信号の測定、生体信号通知通信信号の生成および生体信号通知通信信号のメンタルヘルス評価装置への送信の各動作を繰り返す。
【００５６】
一方、その稼働を始めると、ストレス指標の記録動作では、メンタルへルス評価装置ＭＨは、図５において、ＭＨ制御処理部１２の生体信号取得処理部１２２によって、生体信号通知通信信号の受信を待ち受け（Ｓ１１）、生体信号通知通信信号を受信すると、この受信した生体信号通知通信信号に収容された端末装置ＩＤおよび生体信号ならびに受信時刻を互いに対応付けてＭＨ記憶部１３に記憶する（Ｓ１２）。
【００５７】
次に、メンタルへルス評価装置ＭＨは、ＭＨ制御処理部１２のストレス指標演算部１２３によって、前回のストレス指標の演算から、所定の時間が経過したか否かを判定する。この判定の結果、前記所定の時間が経過していない場合（Ｎｏ）には、メンタルへルス評価装置ＭＨは、ＭＨ制御処理部１２によって、処理を処理Ｓ１１に戻す。すなわち、前回のストレス指標の演算から、前記所定の時間が経過するまで、処理Ｓ１１ないし処理Ｓ１３の各処理が繰り返され、生体信号が時系列でＭＨ記憶部１３に記憶されて蓄積されてゆく。一方、前記判定の結果、前記所定の時間が経過している場合（Ｙｅｓ）には、メンタルへルス評価装置ＭＨは、ＭＨ制御処理部１２のストレス指標演算部１２３によって、次の処理Ｓ１４を実行する。
【００５８】
この処理Ｓ１４では、ストレス指標演算部１２３は、測定端末ＩＤごとに、すなわち、対象者ごとに、ＭＨ記憶部１３に記憶された生体信号に基づいてストレス指標、本実施形態では、第１ストレス指標（ＬＦ／ＨＦ）および第２ストレス指標（ＨＦ）を求める。
【００５９】
次に、メンタルへルス評価装置ＭＨは、ＭＨ制御処理部１２の行動取得処理部１２４によって、時計部１２５から現在時刻を取得し、測定端末ＩＤごとに、すなわち、対象者ごとに、現在時刻および前記現在時刻に対応する当該対象者の行動内容を要求する指示（命令、コマンド）を収容する通信信号（行動内容要求通信信号）をスケジュール管理サーバ装置ＳＳへ送信し、その返信を受信することで、前記現在時刻における当該対象者の行動内容（例えば行動の種類名等）を取得する（Ｓ１５）。
【００６０】
次に、メンタルへルス評価装置ＭＨは、ＭＨ制御処理部１２の記録処理部１２６によって、ストレス指標演算部１２３で求めた対象者のストレス指標、行動取得処理部１２４で取得した前記対象者の行動内容および時計部１２５から取得した年月日時分を互いに対応付けてストレス指標ログ情報としてストレス指標ログ情報記憶部１３１に記憶して記録する。より具体的には、記録処理部１２６は、ストレス指標ログ情報テーブルＳＡＴに新たなレコードを作成し、この新たに作成したレコードにおける時刻フィールド１３１１、行動フィールド１３１２、第１ストレス指標フィールド１３１３および第２ストレス指標フィールド１３１４それぞれに、処理Ｓ１５で取得した現在時刻、処理Ｓ１５で取得した行動内容、処理Ｓ１４で求めた第１ストレス指標（ＬＦ／ＨＦ）、および、処理Ｓ１４で求めた第２ストレス指標（ＨＦ）それぞれを登録する。
【００６１】
次に、メンタルへルス評価装置ＭＨは、ＭＨ制御処理部１２によって、自機ＭＨの稼働の停止（メンタルヘルス評価の終了）か否かを判定する。この判定の結果、稼働の停止である場合（Ｙｅｓ）には、メンタルへルス評価装置ＭＨは、本処理を終了し、一方、稼働の停止ではない場合（Ｎｏ）には、メンタルへルス評価装置ＭＨは、ＭＨ制御処理部１２によって、処理を処理Ｓ１１に戻す。したがって、前記所定の時間間隔で、対象者のストレス指標が演算され、その際の前記対象者の行動内容が取得され、これら年月日時分、前記対象者の行動内容および前記対象者のストレス指標が互いに対応付けられてストレス指標ログ情報記憶部１３１に記憶（記録）されて蓄積されてゆく。
【００６２】
ストレス指標の記録動作では、このようにメンタルへルス評価装置ＭＨは、動作している。
【００６３】
次に、メンタルヘルスの評価動作では、メンタルへルス評価装置ＭＨは、図６において、ＭＨ制御処理部１２のメンタルヘルス評価部１２７によって、表示端末装置ＤＴからネットワークＮＷを介して評価指示通信信号を受信することでメンタルヘルス評価の要求指示を受け付けると（Ｓ２１）、第１時点を抽出して選定する（Ｓ２２）。前記評価指示通信信号は、例えばユーザ（オペレータ）によってメンタルヘルス評価を要求する指示の入力操作を表示端末装置ＤＴが受け付けることによって送信され、前記評価指示通信信号には、対象者を特定するために、対象者ＩＤ（または測定装置ＩＤ）が収容され、そして、メンタルヘルス評価を要求する指示（命令、コマンド）が収容される。このようにメンタルヘルスの評価動作は、ユーザによる任意のタイミングで開始される。
【００６４】
この処理Ｓ２２では、より具体的には、メンタルヘルス評価部１２７は、抽出処理部１２７１によって、ストレス指標を演算した複数の時点の中の第１時点Ｔ１を第１変動パターンに基づいて選定する。より詳しくは、抽出処理部１２７１は、処理Ｓ２１で受信した評価指示通信信号に収容された対象者ＩＤ、すなわち、測定端末ＩＤに対応する、ストレス指標ログ情報記憶部１３１に記憶されたストレス指標ログ情報テーブルＳＡＴにおける第１および第２ストレス指標フィールド１３１３、１３１４それぞれに登録された時系列な複数の第１および第２ストレス指標（ＬＦ／ＨＦ、ＨＦ）から、第１低ストレスから高ストレスを介して第２低ストレスになる第１変動パターンを検索する。そして、抽出処理部１２７１は、この第１変動パターンが検索された時点を第１時点Ｔ１として選定して抽出する。低ストレスは、第１ストレス指標（ＬＦ／ＨＦ、交感神経）が相対的に低く、第２ストレス指標（ＨＦ、副交感神経）が相対的に高い場合であり、高ストレスは、逆に、第１ストレス指標が相対的に高く、第２ストレス指標が相対的に低い場合である。例えば、図３に示すストレス指標ログ情報テーブルＳＡＴがストレス指標ログ情報記憶部１３１に記憶されている場合では、第１および第２ストレス指標フィールド１３１３、１３１４それぞれに登録された第１および第２ストレス指標を参照することにより、図７に示すように、時刻フィールド１３１１に「２０１６／３／２４  １０：４５」および「２０１６／３／２４  １０：５０」それぞれを登録する４番目および５番目の各レコードが低ストレスと判定され、時刻フィールド１３１１に「２０１６／３／２４  １１：００」および「２０１６／３／２４  １１：０５」それぞれを登録する７番目および８番目の各レコードが高ストレスと判定され、時刻フィールド１３１１に「２０１６／３／２４  １２：０５」および「２０１６／３／２４  １２：１０」それぞれを登録する１０番目および１１番目の各レコードが低ストレスと判定され、これら４番目、５番目、７番目、８番目、１０番目および１１番目の各レコードの「２０１６／３／２４  １０：４５」ないし「２０１６／３／２４  １２：１０」が第１時点Ｔ１として選定され抽出される。なお、先頭時刻と第１変動パターンから一連のレコードは、特定されて抽出できるので、第１時点Ｔ１は、第１変動パターンの先頭時刻（上述の例では、４番目の「２０１６／３／２４  １０：４５」）であっても良い。
【００６５】
図６に戻って、次に、メンタルへルス評価装置ＭＨは、ＭＨ制御処理部１２のメンタルヘルス評価部１２７によって、第１時点Ｔ１におけるストレス変動間のストレス指標の変位（差分）を求める（Ｓ２３）。より具体的には、メンタルヘルス評価部１２７は、評価部１２７２によって、時系列で連続する同一な行動内容（行動の種類）ごとにレコードを纏め、これら纏めたレコードにおける各第２ストレス指標の平均値を求め、これら求めた各平均値で、第１低ストレスから高ストレスへ変動した場合の第２ストレス指標の第１変位（第１差分）、ならびに、高ストレスから第２低ストレスへ変動した場合の第２ストレス指標の第２変位（第２差分）を求める。図７に示す例では、図８に紙面右から２列目に示すように（図８では図７の４番目から１１番目までのレコードがその１番目から８番目までで図示されている）、４番目および５番目のレコードにおける各第２ストレス指標フィールド１３１４に登録された各第２ストレス指標（「１０」、「９．０」）の平均値（「９．５」）が求められ、７番目および８番目のレコードにおける各第２ストレス指標フィールド１３１４に登録された各第２ストレス指標（「２．０」、「２．０」）の平均値（「２．０」）が求められ、１０番目および１１番目のレコードにおける各第２ストレス指標フィールド１３１４に登録された各第２ストレス指標（「３．０」、「４．０」）の平均値（「３．５」）が求められ、図８に紙面最右列に示すように、これら求めた各平均値（「９．５」、「２．０」、「３．５」）で、第１低ストレスから高ストレスへ変動した場合の第２ストレス指標の第１変位（「−７．５」（＝２．０−９．５））、ならびに、高ストレスから第２低ストレスへ変動した場合における第２ストレス指標の第２変位（「＋１．５」（＝３．５−２．０））が求められる。この結果が、図９にグラフとして図示されている。図９の横軸は、各第２ストレス指標における行動内容であり、図９の縦軸は、第２ストレス指標の指標値である。なお、評価部１２７２は、変位（差分）に代え、変位割合を求めても良い。以下の変位（差分）も同様である。
【００６６】
このように第１低ストレスから高ストレスを介して第２低ストレスに至る第１変動パターンでは、行動内容に起因するストレスが低ストレスに戻っているにもかかわらず、第２ストレス指標は、上述の例では、９．５→２．０→３．５と変化（変動）し、戻り切れていない。このため、高ストレスを介した場合における第１低ストレスの第２ストレス指標と第２低ストレスの第２ストレス指標との差分が所定の閾値を超えている場合には、メンタルヘルスが悪化していると評価し、一方、前記差分が前記所定の閾値以内である場合には、メンタルヘルスが良好であると評価し、表示端末装置ＤＴにこの評価結果を出力して良いが、本実施形態では、次のように、第２変動パターンで第１時点Ｔ１を除く１または複数の他の時点Ｔｎが抽出され、第１時点Ｔ１の第２変位とこれら１または複数の他の時点Ｔｎにおける第２変位とが比較され、メンタルへルスが評価されている。
【００６７】
すなわち、本実施形態では、図６に戻って、処理Ｓ２３に次に、処理Ｓ２４では、メンタルへルス評価装置ＭＨは、メンタルヘルス評価部１２７の抽出処理部１２７１によって、ストレス指標を演算した複数の時点の中の、第１時点Ｔ１を除く他の第２および第３時点Ｔ２、Ｔ３を第２変動パターンに基づいて選定する。より具体的には、抽出処理部１２７１は、まず、前記処理Ｓ２２で検索された第１変動パターンにおける行動内容の変化を第２変動パターンに設定する。上述の例では、図７ないし図９に示すように、前記処理Ｓ２２で検索された第１変動パターンにおける行動内容の変化である、休憩から会議を介して昼食に至るパターンが第２変動パターンに設定される。次に、抽出処理部１２７１は、前記抽出された第１時点Ｔ１から過去へ遡って、処理Ｓ２１で受信した評価指示通信信号に収容された対象者ＩＤ、すなわち、測定端末ＩＤに対応する、ストレス指標ログ情報記憶部１３１に記憶されたストレス指標ログ情報テーブルＳＡＴにおける行動フィールド１３１２に登録された時系列な複数の行動内容から、休憩から会議を介して昼食に至る第２変動パターンを２つ検索する。そして、抽出処理部１２７１は、この第２変動パターンが検索された２つの時点を前記第１時点に近い方から順に第２および第３時点Ｔ２、Ｔ３として選定して抽出する。
【００６８】
前記処理Ｓ２４の次の処理Ｓ２５では、メンタルへルス評価装置ＭＨは、メンタルヘルス評価部１２７の評価部１２７２によって、前記処理Ｓ２４で抽出した第２および第３時点Ｔ２、Ｔ３それぞれについて、第１時点に対する処理Ｓ２３の処理と同様に、前記高ストレスに対応する会議から前記第２低ストレスに対応する昼食へ変動した場合における第２ストレス指標の第２変位を求める。この結果の一例が図１０に示されている。この図１０に示す例では、「２０１６／２／２４」が第２時点Ｔ２として抽出され、この場合における第２ストレス指標の第２変位は、＋５．０と演算され、「２０１５／１２／２４」が第３時点Ｔ３として抽出され、この場合における第２ストレス指標の第２変位は、＋６．０と演算されている。
【００６９】
前記処理Ｓ２５の次の処理Ｓ２６では、メンタルへルス評価装置ＭＨは、メンタルヘルス評価部１２７の評価部１２７２によって、抽出処理部１２７１で選定して抽出した前記複数の時点それぞれにおいて、複数のストレス指標および複数の行動内容に基づいて前記対象者のメンタルヘルスを評価する。より具体的には、評価部１２７２は、前記複数の時点の中の第１時点Ｔ１における第１変動パターンの前記高ストレスの第２ストレス指標の値と前記第２低ストレスの第２ストレス指標の値との第２１変位（第２１差分）を求め、前記複数の時点の中の第２時点Ｔ２における第１変動パターンの前記高ストレスの第２ストレス指標の値と前記第２低ストレスの第２ストレス指標の値との第２２変位（第２２差分）を求め（すなわち、本実施形態では、前記高ストレスに対応する行動内容（上述の例では会議）の第２ストレス指標の値と前記第２低ストレスに対応する行動内容（上述の例では昼食）の第２ストレス指標の値との第２２変位を求め）、第２時点Ｔ２が第１時点Ｔ１よりも過去である場合に、前記求めた第２１変位が前記求めた第２２変位よりも小さい場合、第２時点Ｔ２のメンタルヘルスよりも第１時点Ｔ１のメンタルヘルスが悪いと評価する。より詳しくは、評価部１２７２は、前記求めた第２１変位が前記求めた第２２変位よりも所定値以上小さい場合、第２時点Ｔ２のメンタルヘルスよりも第１時点Ｔ１のメンタルヘルスが悪いと評価する一方、前記求めた第２１変位が前記求めた第２２変位よりも所定値以上小さくない場合、第２時点Ｔ２のメンタルヘルスよりも第１時点Ｔ１のメンタルヘルスが悪くないと評価する。
【００７０】
本実施形態では、さらに第３時点Ｔ３も抽出されているので、評価部１２７２は、さらに、第３時点Ｔ３における第１変動パターンの前記高ストレスの第２ストレス指標の値と前記第２低ストレスの第２ストレス指標の値との第２３変位（第２３差分）を求め（すなわち、本実施形態では、前記高ストレスに対応する行動内容（上述の例では会議）の第２ストレス指標の値と前記第２低ストレスに対応する行動内容（上述の例では昼食）の第２ストレス指標の値との第２３変位を求め）、時間順に第３時点、第２時点Ｔ２、そして、第１時点Ｔ１である場合に、前記求めた第２２変位が前記求めた第２３変位よりも小さく、前記求めた第２１変位が前記求めた第２２変位よりも小さい場合（すなわち、第２３変位、第２２変位および第２１変位の順に徐々に小さくなっている場合）、第３および第２時点Ｔ３、Ｔ２の各メンタルヘルスよりも第１時点Ｔ１のメンタルヘルスが悪いと評価する。より詳しくは、評価部１２７２は、前記求めた第２２変位が前記求めた第２３変位よりも所定値以上小さく、前記求めた第２１変位が前記求めた第２２変位よりも所定値以上小さい場合、第３および第２時点Ｔ３、Ｔ２の各メンタルヘルスよりも第１時点Ｔ１のメンタルヘルスが悪いと評価する一方、前記場合ではない場合、第３および第２時点Ｔ３、Ｔ２の各メンタルヘルスよりも第１時点Ｔ１のメンタルヘルスが悪くない、あるいは、不明と評価する。前記所定値は、複数のサンプルに基づいて適宜に設定される。
【００７１】
そして、前記処理Ｓ２６の次の処理Ｓ２７では、メンタルへルス評価装置ＭＨは、メンタルヘルス評価部１２７の出力処理部１２７３によって、前記処理Ｓ２６で評価部１２７２によって求めた評価結果を、前記処理Ｓ２１で受信した評価指示通信信号の送信元の表示端末装置ＤＴへネットワークＮＷを介して出力（返信）し、本処理を終了する。より具体的には、出力処理部１２７３は、前記処理Ｓ２１で受信した評価指示通信信号に収容された対象者ＩＤ（または測定装置ＩＤ）、および、前記処理Ｓ２６で評価部１２７２によって求めた評価結果を収容した通信信号（評価結果通知通信信号）を、前記処理Ｓ２１で受信した評価指示通信信号の送信元の表示端末装置ＤＴ宛に生成し、この生成した評価結果通知通信信号をネットワークＮＷへ発信する。なお、前記評価結果通知通信信号には、第１ないし第３時点Ｔ１〜Ｔ３や、第２１ないし第２３変位等がさらに収容されても良い。
【００７２】
この評価結果通知通信信号を受信した表示端末装置ＤＴは、この受信した評価結果通知通信信号に収容された評価結果を表示する。例えば、評価結果は、図１０や図９に示すように表示される。
【００７３】
なお、上述の実施形態では、第１変動パターンは、第１低ストレスから高ストレスを介して第２低ストレスに至るパターンであったが、これに限定されるものでは無く、他のパターンであっても良い。第１変動パターンは、例えば、第１高ストレスから低ストレスを介して第２高ストレスに至るパターン等であっても良い。
【００７４】
以上説明したように、本実施形態におけるメンタルヘルス評価装置ＭＨならびにこれに実装されたメンタルへルス評価方法およびメンタルヘルス評価プログラムは、ストレス課題として対象者の行動内容を用い、少なくとも２以上の複数の時点それぞれにおける複数のストレス指標および複数の行動内容に基づいて対象者のメンタルヘルスを評価するので、対象者の自然な状態でメンタルヘルスを評価できる。そして、上記メンタルヘルス評価装置ＭＨ、メンタルヘルス評価方法およびメンタルヘルス評価プログラムは、前記複数の時点を、複数のストレス指標における第１変動パターン、および、複数の行動内容における第２変動パターンに基づいて選定するので、上記メンタルヘルス評価装置ＭＨ、メンタルヘルス評価方法およびメンタルヘルス評価プログラムは、前記対象者の日常生活の中で自然に起こるストレス指標の第１変動パターンのうち、メンタルヘルスの判断に適した行動内容の第２変動パターンを自動的に検知でき、この検知した第２変動パターンでのストレス指数の変位（差分）を比較することでメンタルヘルス状態を評価するから、前記対象者の身構えや慣れが生じ得ず、その精度を向上できる。したがって、上記メンタルヘルス評価装置ＭＨ、メンタルヘルス評価方法およびメンタルヘルス評価プログラムは、対象者の日常的な活動の中で自然に近い状態でメンタルヘルスを評価できる。また、上記メンタルヘルス評価装置ＭＨ、メンタルヘルス評価方法およびメンタルヘルス評価プログラムは、対象者ごとに、メンタルヘルスの評価における比較対象の変動パターンを変えることができるので、個人差にも対応できる。
【００７５】
また、上記メンタルヘルス評価装置ＭＨ、メンタルヘルス評価方法およびメンタルヘルス評価プログラムは、例えば第１低ストレスから高ストレスを介して第２低ストレスに至る場合等の、所定の第１変動パターンでのメンタルヘルスを評価できる。
【００７６】
また、上記メンタルヘルス評価装置ＭＨ、メンタルヘルス評価方法およびメンタルヘルス評価プログラムは、異なる時点における同一第２変動パターンでのメンタルヘルスを評価できる。
【００７７】
なお、上述の実施形態では、対象者のスケジュールは、スケジュール管理サーバ装置ＳＳに記憶され管理されたが、スケジュール管理サーバ装置ＳＳに代え、メンタルヘルス評価装置ＭＨが記憶して管理しても良い。このようなメンタルヘルス評価装置ＭＨは、図２に破線で示すように、ＭＨ記憶部１３に、前記対象者のスケジュールを記憶するスケジュール記憶部１３２を機能的にさらに備える。スケジュール記憶部１３２は、スケジュール管理サーバ装置ＳＳと同様に、行動内容（例えば行動の種類名）とその開始時刻および終了時刻とを互いに対応付けたスケジュールを対象者ＩＤ（または測定端末ＩＤ）ごとに記憶する。前記行動取得処理部１２４は、スケジュール管理サーバ装置ＳＳに代え、スケジュール記憶部１３２から、前記対象者の行動内容を取得する。
【００７８】
また、上述の実施形態では、対象者の行動内容は、スケジュール管理サーバ装置ＳＳから取得されたが、これに代え、あるいは、これに追加して、対象者の持つＧＰＳ（Ｇｌｏｂａｌ  Ｐｏｓｉｔｉｏｎｉｎｇ  Ｓｙｓｔｅｍ）から取得される位置（位置情報）や、対象者の運動状態を測定する運動状態測定装置で測定された前記対象者の運動状態を用いて求められて取得されても良い。すなわち、メンタルヘルス評価装置ＭＨは、ＭＨ通信ＩＦ部１１およびＭＨ制御処理部１２の行動取得処理部１２４によって、スケジュール管理サーバ装置ＳＳで管理されている前記対象者のスケジュール、前記対象者の持つＧＰＳから取得される位置（位置情報）、および、前記対象者の運動状態を測定する運動状態測定装置で測定された前記対象者の運動状態、のうちの少なくとも１つを用いて前記対象者の行動内容を求めて取得する。
【００７９】
より具体的には、対象者の持つＧＰＳから取得される位置（位置情報）が用いられる場合では、測定端末装置ＳＴは、図４に破線で示すように、ＳＴ制御処理部２２に接続され、ＳＴ制御処理部２２の制御に従って位置情報を取得するＧＰＳ２６をさらに備え、メンタルヘルス評価装置ＭＨは、図２に破線で示すように、ＭＨ記憶部１３に、位置情報と行動内容とを互いに対応付けて記憶する位置行動変換情報記憶部１３３をさらに備える。そして、メンタルヘルス評価装置ＭＨは、ＭＨ制御処理部１２の行動取得処理部１２４によって、前記処理Ｓ１５において、測定端末ＩＤごとに、すなわち、対象者ごとに、位置情報を要求する指示（命令、コマンド）を収容する通信信号（位置情報要求通信信号）を測定端末装置ＳＴへ送信し、その返信を受信し、この受信した位置情報を、位置行動変換情報記憶部１３３に記憶された位置情報と行動内容の対応関係から、行動内容に変換して取得する。ここで、測定端末装置ＳＴは、ＳＴ制御処理部２２によって、前記位置情報要求通信信号を受信すると、ＧＰＳ２６から位置情報を取得し、測定端末ＩＤ（または対象者ＩＤ）および前記取得した位置情報を収容する通信信号（位置情報通知通信信号）を生成し、この生成した位置情報通知通信信号をメンタルヘルス評価装置ＭＨへ返信する。
【００８０】
運動状態測定装置で測定された前記対象者の運動状態が用いられる場合では、測定端末装置ＳＴは、図４に破線で示すように、ＳＴ制御処理部２２に接続され、ＳＴ制御処理部２２の制御に従って対象者の運動状態を測定する、例えば加速度センサやジャイロセンサ等の運動状態測定部２５をさらに備える。そして、測定端末装置ＳＴは、上述の生体信号と同様に、所定のサンプリング間隔で運動状態を運動状態測定部２５によって測定し、所定時間（例えば１個の通信信号に収容可能な運動状態測定部２５の出力データのデータ容量分を測定する時間）だけ測定すると、測定端末ＩＤ（または対象者ＩＤ）および前記測定した運動状態測定部２５の出力データを収容した通信信号（運動状態通知通信信号）を生成し、この生成した運動状態通知通信信号をメンタルヘルス評価装置ＭＨへ送信する。メンタルヘルス評価装置ＭＨは、ＭＨ制御処理部１２の行動取得処理部１２４によって、運動状態通知通信信号を受信すると、この受信した運動状態通知通信信号に収容された端末装置ＩＤおよび運動状態測定部２５の出力データならびに受信時刻を互いに対応付けてＭＨ記憶部１３に記憶し、この受信した運動状態測定部２５の出力データに基づいて対象者の行動内容を判定し、判定結果、測定端末ＩＤ（または対象者ＩＤ）および受信時刻から推定される判定時刻を互いに対応付けてＭＨ記憶部１３に記憶する。図１１は、加速度センサを用いた行動内容の取得処理を説明するための図であり、その横軸は、時間経過を示す時間であり、その縦軸は、［ｍ／ｓ２］で表す加速度である。例えば、対象者の現在の行動内容が座っている状態（ｓｉｔ）である場合であって、加速度センサを備える運動状態測定部２５の出力データが図１１に示すように時間変化した場合、行動取得処理部１２４は、運動状態測定部２５の出力データにおける最初のピークで対象者が立った状態（ｓｔａｎｄ）になったと判定し、運動状態測定部２５の出力データにおけるランダムな振動で対象者が歩行状態（ｗａｌｋ）になったと判定し、運動状態測定部２５の出力データにおける前記振動の停止で対象者が立った状態（ｓｔａｎｄ）になったと判定し、そして、運動状態測定部２５の出力データにおける次のピークで対象者が座った状態（ｓｉｔ）になったと判定する。したがって、図１１に示す例では、行動取得処理部１２４は、対象者の行動内容として、座位、立位、歩行、立位および座位と順次に取得する。そして、前記処理Ｓ１５では、ＭＨ記憶部１３に記憶された前記判定結果に基づいて前記現在時刻に対応する対象者の行動内容が取得される。
【００８１】
なお、メンタルヘルス評価装置ＭＨが、スケジュール管理サーバ装置ＳＳで管理されている前記対象者のスケジュール、前記対象者の持つＧＰＳから取得される位置（位置情報）、および、前記対象者の運動状態を測定する運動状態測定装置で測定された前記対象者の運動状態、のうちの複数を用いて前記対象者の行動内容を求めて取得する場合において、相互に矛盾する行動内容が求められた場合には、対象者の行動内容は、不明とされて良い。また、運動状態測定部２５の出力データに基づく行動内容が位置情報やスケジュールと組み合わされてより具体的な行動内容に変換されても良い。例えば、位置情報が自宅である場合、前記座位が休憩に変換され、位置情報が会社である場合、前記座位が会議に変換される。
【００８２】
また、上述の実施形態において、前記行動内容は、高ストレス行動および低ストレス行動の２種類であっても良い。例えば、休憩は、低ストレス行動とされ、会議は、高ストレス行動とされる。また例えば、通勤ラッシュ時間帯における通勤は、高ストレス行動とされる一方、通勤ラッシュ時間帯を外れた時間帯における通勤は、低ストレス行動とされる。このようなメンタルヘルス評価装置ＭＨ、メンタルヘルス評価方法およびメンタルヘルス評価プログラムは、行動内容が高ストレス行動および低ストレス行動の２種類であるので、第１変動パターンだけでなく、第２変動パターンでもストレスの変動で選定できる。特に、同じ行動内容でも、或る人には高ストレスである一方、他の或る人には低ストレスであるというように、個々人によってストレスのかかり方が異なる。また、同じ行動内容であって同一人であっても、経験回数（場数を踏むこと）によって高ストレスから低ストレスに変わる場合もある。したがって、個人ごとにストレスのかかり方に応じて行動内容に高ストレス行動および低ストレス行動のうちのいずれか一方を割り付けることで、このようなメンタルヘルス評価装置ＭＨ、メンタルヘルス評価方法およびメンタルヘルス評価プログラムは、より個人に適した第２変動パターンをメンタルヘルスの評価に適用でき、その精度を向上できる。
【００８３】
また、上述の実施形態では、第１時点Ｔ１は、第１変動パターンに基づいて選定され、第２および第３時点Ｔ２、Ｔ３は、前記選定された第１変動パターンに対応する第２変動パターンに基づいて選定されたが、前記第１ないし第３時点Ｔ１〜Ｔ３等の複数の時点は、ストレス指標の第１変動パターンのみに基づいて選定されても良い。これによれば、スケジュール管理サーバ装置ＳＳや行動取得処理部１２４が省略でき、生体信号測定部２１のみで簡便にメンタルヘルス評価が実施できる。
【００８４】
図１２は、第１変動パターンのみによる各時点の抽出処理を説明するための図である。このような場合では、ストレス指標ログ情報記憶部１３１は、行動フィールド１３１２を備えない、すなわち、図１２に示すように、時刻フィールド１３１１、第１ストレス指標フィールド１３１３および第２ストレス指標フィールド１３１４を備えるストレス指標ログ情報テーブルＳＡＴａを記憶し、抽出処理部１２７１は、上述の処理Ｓ２２と同様に、ストレス指標ログ情報テーブルＳＡＴａから、例えば第１低ストレスから高ストレスを介して第２低ストレスになる第１変動パターンを検索することで、第１時点Ｔ１を選定して抽出する。例えば、図１２に示す例では、時刻フィールド１３１１に「２０１６／３／２４  １０：４５」および「２０１６／３／２４  １０：５０」それぞれを登録する４番目および５番目の各レコードが低ストレスと判定され、時刻フィールド１３１１に「２０１６／３／２４  １１：００」および「２０１６／３／２４  １１：０５」それぞれを登録する７番目および８番目の各レコードが高ストレスと判定され、時刻フィールド１３１１に「２０１６／３／２４  １２：０５」および「２０１６／３／２４  １２：１０」それぞれを登録する１０番目および１１番目の各レコードが低ストレスと判定され、これら４番目、５番目、７番目、８番目、１０番目および１１番目の各レコードの「２０１６／３／２４  １０：４５」ないし「２０１６／３／２４  １２：１０」が第１時点Ｔ１として選定され抽出される。なお、第２ストレス指標の平均は、時系列で連続する同一なストレス状態（低ストレス、高ストレス）ごとにレコードを纏めることで求められる。そして、第２および第３時点Ｔ２、Ｔ３の抽出では、抽出処理部１２７１は、前記抽出された第１時点Ｔ１から過去へ遡って、上述と同様に、ストレス指標ログ情報テーブルＳＡＴａから、前記第１変動パターンを検索することで、第２および第３時点Ｔ２、Ｔ３を選定して抽出する。
【００８５】
また、上述の実施形態において、メンタルヘルス評価装置ＭＨは、測定端末装置ＳＴと一体に構成されても良い。このような場合では、前記一体に構成された測定端末装置ＳＴが生体信号取得部の他の一例に相当する。
【００８６】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００８７】
ＭＳ  メンタルヘルス評価システム
ＭＨ  メンタルヘルス評価装置
ＳＴ  測定端末装置
ＳＳ  スケジュール管理サーバ装置
ＤＴ  表示端末装置
１１  メンタルヘルス評価装置側通信インターフェース部（ＭＨ通信ＩＦ部）
１２  メンタルヘルス評価装置側制御処理部（ＭＨ制御処理部）
１３  メンタルヘルス評価装置側記憶部（ＭＨ記憶部）
２１  生体信号測定部
１２２  生体信号取得処理部
１２３  ストレス指標演算部
１２４  行動取得処理部
１２５  時計部
１２６  記録処理部
１２７  メンタルヘルス評価部
１３１  ストレス指標ログ情報記憶部
１２７１  抽出処理部
１２７２  評価部
１２７３  出力処理部
【図１】
2017213278.tif 000003
【図２】
2017213278.tif 000004
【図３】
2017213278.tif 000005
【図４】
2017213278.tif 000006
【図５】
2017213278.tif 000007
【図６】
2017213278.tif 000008
【図７】
2017213278.tif 000009
【図８】
2017213278.tif 000010
【図９】
2017213278.tif 000011
【図１０】
2017213278.tif 000012
【図１１】
2017213278.tif 000013
【図１２】
2017213278.tif 000014